(57)【要約】【課題】  マルチドメイン垂直配向液晶ディスプレイ装置の提供。【解決手段】  マルチドメイン垂直配向液晶ディスプレイ装置は、複数の突起物と第１電極を具えた第１基板と、複数の画素電極と第１スリット及び第２スリットを具えた第２基板と、該第１基板と該第２基板の間に位置する液晶層とを包含する。該第１電極は第１基板の表面に位置し、突起物は第１電極の一部表面に位置する。画素電極は第２基板の表面に位置し、第１スリットは画素電極の間に位置し、且つ第１スリットと突起物の第２基板における投影は不交錯であり、第２スリットは第１スリットの辺縁に位置し、第２スリットの延伸方向と突起物の第２基板における投影は相互に交錯する。【選択図】        図４
2006126775.tif 000002
【特許請求の範囲】
【請求項１】
マルチドメイン垂直配向液晶ディスプレイ装置において、
複数の突起物と第１電極を具えた第１基板であって、該第１電極が該第１基板の表面に位置し、該突起物が該第１電極の一部表面に位置する、上記第１基板と、
複数の画素電極と複数の第１スリット及び複数の第２スリットを具えた第２基板であって、該画素電極が該第２基板の表面に位置し、該第１スリットが隣り合う画素電極の間に位置し、該第１スリットと該突起物の第２基板における投影が不交錯であり、第２スリットが第１スリットの辺縁に位置し、且つ第２スリットの延伸方向と該突起物の第２基板における投影が交錯する、上記第２基板と、
該第１基板と該第２基板の間に位置する液晶層と、
を包含することを特徴とする、マルチドメイン垂直配向液晶ディスプレイ装置。
【請求項２】
請求項１記載のマルチドメイン垂直配向液晶ディスプレイ装置において、第２スリットの延伸方向と突起物の投影の交叉の角度範囲が８０°から１１０°の間とされたことを特徴とする、マルチドメイン垂直配向液晶ディスプレイ装置。
【請求項３】
請求項１記載のマルチドメイン垂直配向液晶ディスプレイ装置において、第１スリットと突起物の第２基板における投影が平行であることを特徴とする、マルチドメイン垂直配向液晶ディスプレイ装置。
【請求項４】
請求項１記載のマルチドメイン垂直配向液晶ディスプレイ装置において、同一画素電極内の第２スリットの少なくとも二つの第２スリットの長さが異なることを特徴とする、マルチドメイン垂直配向液晶ディスプレイ装置。
【請求項５】
請求項１記載のマルチドメイン垂直配向液晶ディスプレイ装置において、同一画素電極内の第２スリット間の少なくとも二つの間距が異なることを特徴とする、マルチドメイン垂直配向液晶ディスプレイ装置。
【請求項６】
請求項１記載のマルチドメイン垂直配向液晶ディスプレイ装置において、第２スリットの長さが画素電極の同一辺縁両端より中間に向けて漸減することを特徴とする、マルチドメイン垂直配向液晶ディスプレイ装置。
【請求項７】
請求項１記載のマルチドメイン垂直配向液晶ディスプレイ装置において、第２スリットの長さが画素電極の同一辺縁両端より中間に向けて漸増することを特徴とする、マルチドメイン垂直配向液晶ディスプレイ装置。
【請求項８】
請求項１記載のマルチドメイン垂直配向液晶ディスプレイ装置において、第２スリット間の間距が画素電極の同一辺縁両端より中間に向けて漸減することを特徴とする、マルチドメイン垂直配向液晶ディスプレイ装置。
【請求項９】
請求項１記載のマルチドメイン垂直配向液晶ディスプレイ装置において、第２スリット間の間距が画素電極の同一辺縁両端より中間に向けて漸増することを特徴とする、マルチドメイン垂直配向液晶ディスプレイ装置。
【請求項１０】
請求項１記載のマルチドメイン垂直配向液晶ディスプレイ装置において、第１基板がカラーフィルタを更に具え、且つ該カラーフィルタが第１基板の表面に位置することを特徴とする、マルチドメイン垂直配向液晶ディスプレイ装置。
【請求項１１】
請求項１記載のマルチドメイン垂直配向液晶ディスプレイ装置において、第２基板が複数の走査線、複数の信号線、及び複数のスイッチ素子を更に包含することを特徴とする、マルチドメイン垂直配向液晶ディスプレイ装置。
【請求項１２】
請求項１記載のマルチドメイン垂直配向液晶ディスプレイ装置において、第２基板が更に垂直配向層を包含し、且つ該垂直配向層が画素電極の表面に位置することを特徴とする、マルチドメイン垂直配向液晶ディスプレイ装置。
【請求項１３】
請求項１記載のマルチドメイン垂直配向液晶ディスプレイ装置において、第２基板が該第２基板の表面に位置するゲート絶縁層と鈍化層を更に包含したことを特徴とする、マルチドメイン垂直配向液晶ディスプレイ装置。
【請求項１４】
請求項１記載のマルチドメイン垂直配向液晶ディスプレイ装置において、第１基板と第２基板がガラス基板とされたことを特徴とする、マルチドメイン垂直配向液晶ディスプレイ装置。
【請求項１５】
請求項１記載のマルチドメイン垂直配向液晶ディスプレイ装置において、画素電極がＩＴＯ或いはＩＺＯで形成されたことを特徴とする、マルチドメイン垂直配向液晶ディスプレイ装置。
【請求項１６】
請求項１１記載のマルチドメイン垂直配向液晶ディスプレイ装置において、スイッチ素子が薄膜トランジスタとされたことを特徴とする、マルチドメイン垂直配向液晶ディスプレイ装置。
【発明の詳細な説明】
【技術分野】
【０００１】
本発明は液晶ディスプレイ装置に係り、特にマルチドメイン垂直配向液晶ディスプレイ装置に関する。
【背景技術】
【０００２】
現在液晶ディスプレイの発展目標はいずれも大型、高輝度、高コントラスト、広視角、及び高いカラー飽和度に向けて発展し、マルチドメイン垂直配向液晶ディスプレイ装置（Ｍｕｌｔｉ−Ｄｏｍａｉｎ  Ｖｅｒｔｉｃａｌ  Ａｌｉｇｎｍｅｎｔ；ＭＶＡ）は現在、液晶ディスプレイ装置の視角問題を解決する主流の対策とされている。ＭＶＡ型の液晶ディスプレイ装置中、ディスプレイエリアはマルチドメインに区分されて液晶が相互補償の方式で配列され、これにより異なる視角にあって同じ位相差値を見ることができるようになり、グレーレベル反転の現象の発生がなくなり、またコントラストが高められ応答時間が短縮される。
【発明の開示】
【発明が解決しようとする課題】
【０００３】
周知のＭＶＡ液晶ディスプレイ装置の側面図と平面図が図１、２に示される。そのうち、第１電極１１は第１基板１の表面に位置し、第１電極１１の表面に複数の突起物３（ｐｒｏｔｒｕｓｉｏｎ）が設けられている。画素電極４は第２基板２の表面に位置し、画素電極４の間に複数の第１スリット５が設けられて画素ユニットを隔離し、同一ドメインの液晶分子７の傾斜角度はいずれも等しい。また周知のＭＶＡ液晶ディスプレイ装置は同一グレーレベル状態の時、その傾斜角度がいずれも等しい。しかし、液晶ディスプレイ装置は液晶自身の光の屈折特性により異なるグレーレベルを表示するため、人の目の視線と液晶自身の夾角が変換する時、光強度が不一致であるように感じられる。これにより、周知のＭＶＡ液晶ディスプレイ装置（図１参照）は異なる視角から観ると、人の目の視線と液晶長軸の夾角がいずれも異なり、目にする輝度も不一致となる。特に微観状態下にあって、ＭＶＡ液晶ディスプレイ装置の画素電極の突起物の近隣の二つの隣り合う表示区域において、この二つの隣接区域の液晶分子傾斜の角度は通電時に異なるため、人の目で観察すると、人の目の視線と液晶長軸の夾角がいずれも異なり、目にする二つの近隣区域の輝度が不一致となる。人の眼には、突起物の二つの近隣区域の輝度が不均一に見える。このような効果が全てのパネル表示区域に広がる時、パネルの輝度不均一が形成され、表示の品質が低下し、これにより改善の必要がある。
【課題を解決するための手段】
【０００４】
請求項１の発明は、マルチドメイン垂直配向液晶ディスプレイ装置において、
複数の突起物と第１電極を具えた第１基板であって、該第１電極が該第１基板の表面に位置し、該突起物が該第１電極の一部表面に位置する、上記第１基板と、
複数の画素電極と複数の第１スリット及び複数の第２スリットを具えた第２基板であって、該画素電極が該第２基板の表面に位置し、該第１スリットが隣り合う画素電極の間に位置し、該第１スリットと該突起物の第２基板における投影が不交錯であり、第２スリットが第１スリットの辺縁に位置し、且つ第２スリットの延伸方向と該突起物の第２基板における投影が交錯する、上記第２基板と、
該第１基板と該第２基板の間に位置する液晶層と、
を包含することを特徴とする、マルチドメイン垂直配向液晶ディスプレイ装置としている。
請求項２の発明は、請求項１記載のマルチドメイン垂直配向液晶ディスプレイ装置において、第２スリットの延伸方向と突起物の投影の交叉の角度範囲が８０°から１１０°の間とされたことを特徴とする、マルチドメイン垂直配向液晶ディスプレイ装置としている。
請求項３の発明は、請求項１記載のマルチドメイン垂直配向液晶ディスプレイ装置において、第１スリットと突起物の第２基板における投影が平行であることを特徴とする、マルチドメイン垂直配向液晶ディスプレイ装置としている。
請求項４の発明は、請求項１記載のマルチドメイン垂直配向液晶ディスプレイ装置において、同一画素電極内の第２スリットの少なくとも二つの第２スリットの長さが異なることを特徴とする、マルチドメイン垂直配向液晶ディスプレイ装置としている。
請求項５の発明は、請求項１記載のマルチドメイン垂直配向液晶ディスプレイ装置において、同一画素電極内の第２スリット間の少なくとも二つの間距が異なることを特徴とする、マルチドメイン垂直配向液晶ディスプレイ装置としている。
請求項６の発明は、請求項１記載のマルチドメイン垂直配向液晶ディスプレイ装置において、第２スリットの長さが画素電極の同一辺縁両端より中間に向けて漸減することを特徴とする、マルチドメイン垂直配向液晶ディスプレイ装置としている。
請求項７の発明は、請求項１記載のマルチドメイン垂直配向液晶ディスプレイ装置において、第２スリットの長さが画素電極の同一辺縁両端より中間に向けて漸増することを特徴とする、マルチドメイン垂直配向液晶ディスプレイ装置としている。
請求項８の発明は、請求項１記載のマルチドメイン垂直配向液晶ディスプレイ装置において、第２スリット間の間距が画素電極の同一辺縁両端より中間に向けて漸減することを特徴とする、マルチドメイン垂直配向液晶ディスプレイ装置としている。
請求項９の発明は、請求項１記載のマルチドメイン垂直配向液晶ディスプレイ装置において、第２スリット間の間距が画素電極の同一辺縁両端より中間に向けて漸増することを特徴とする、マルチドメイン垂直配向液晶ディスプレイ装置としている。
請求項１０の発明は、請求項１記載のマルチドメイン垂直配向液晶ディスプレイ装置において、第１基板がカラーフィルタを更に具え、且つ該カラーフィルタが第１基板の表面に位置することを特徴とする、マルチドメイン垂直配向液晶ディスプレイ装置としている。
請求項１１の発明は、請求項１記載のマルチドメイン垂直配向液晶ディスプレイ装置において、第２基板が複数の走査線、複数の信号線、及び複数のスイッチ素子を更に包含することを特徴とする、マルチドメイン垂直配向液晶ディスプレイ装置としている。
請求項１２の発明は、請求項１記載のマルチドメイン垂直配向液晶ディスプレイ装置において、第２基板が更に垂直配向層を包含し、且つ該垂直配向層が画素電極の表面に位置することを特徴とする、マルチドメイン垂直配向液晶ディスプレイ装置としている。
請求項１３の発明は、請求項１記載のマルチドメイン垂直配向液晶ディスプレイ装置において、第２基板が該第２基板の表面に位置するゲート絶縁層と鈍化層を更に包含したことを特徴とする、マルチドメイン垂直配向液晶ディスプレイ装置としている。
請求項１４の発明は、請求項１記載のマルチドメイン垂直配向液晶ディスプレイ装置において、第１基板と第２基板がガラス基板とされたことを特徴とする、マルチドメイン垂直配向液晶ディスプレイ装置としている。
請求項１５の発明は、請求項１記載のマルチドメイン垂直配向液晶ディスプレイ装置において、画素電極がＩＴＯ或いはＩＺＯで形成されたことを特徴とする、マルチドメイン垂直配向液晶ディスプレイ装置としている。
請求項１６の発明は、請求項１１記載のマルチドメイン垂直配向液晶ディスプレイ装置において、スイッチ素子が薄膜トランジスタとされたことを特徴とする、マルチドメイン垂直配向液晶ディスプレイ装置としている。
【発明の効果】
【０００５】
周知の液晶ディスプレイ装置の透光度は液晶分子の傾斜角の形成する全体平均屈折率に関係するが、本発明の第２スリット６を設置の後、突起物の隣接区域の全体平均液晶分子傾斜角は略同じとなり、ゆえに液晶分子傾斜角の形成する全体平均屈折率は略同じとなり、ゆえに突起物の隣接区域の透光度がほぼ同じとなり、ゆえに液晶ディスプレイ装置の輝度分布が改善され、液晶ディスプレイ装置の輝度の均一化の機能が達成される。
【発明を実施するための最良の形態】
【０００６】
本発明は一種のマルチドメイン垂直配向液晶ディスプレイ装置を提供し、それは、複数の突起物と第１電極を具えた第１基板と、複数の画素電極と第１スリット及び第２スリットを具えた第２基板と、該第１基板と該第２基板の間に位置する液晶層とを包含する。該第１電極は第１基板の表面に位置し、突起物は第１電極の一部表面に位置する。画素電極は第２基板の表面に位置し、第１スリットは画素電極の間に位置し、且つ第１スリットと突起物の第２基板における投影は不交錯であり、第２スリットは第１スリットの辺縁に位置し、第２スリットの延伸方向と突起物の第２基板における投影は相互に交錯する。
【０００７】
本発明のマルチドメイン垂直配向液晶ディスプレイ装置は、その使用する基板が任意の透明基板とされるが、好ましくはガラス基板とされる。本発明のマルチドメイン垂直配向液晶ディスプレイ装置は、その画素電極が任意の透明電極材料とされるが、好ましくはＩＴＯ或いはＩＺＯとされる。本発明のマルチドメイン垂直配向液晶ディスプレイ装置は第１基板の表面に更にカラーフィルタを設置可能である。本発明のマルチドメイン垂直配向液晶ディスプレイ装置は選択的に機能性装置を更に設置してその機能を増加或いは改善でき、好ましくは第２基板上に走査線、信号線、及びスイッチ素子が設けられる。前述の本発明のマルチドメイン垂直配向液晶ディスプレイ装置のスイッチ素子は薄膜トランジスタとされるのがよい。本発明のマルチドメイン垂直配向液晶ディスプレイ装置は好ましくは画素電極表面に選択的に垂直配向層が設けられる。本発明のマルチドメイン垂直配向液晶ディスプレイ装置は並びに好ましくは第２基板の表面に選択的にゲート絶縁層或いは鈍化層が設けられてその線間の絶縁性が改善される。
【０００８】
このほか、本発明の第２スリットの延伸方向と該突起物の投影の交叉の角度範囲は任意の角度とされるが、好ましくは８０°から１１０°の間とされ、最も好ましくは垂直とされる。本発明の第１スリットと突起物の第２基板における投影は相互に交錯せず、好ましくは相互に平行とされる。本発明の第２スリットの長さ分布に制限はないが、好ましくは少なくとも二つの第２スリットの長さが異なるものとされ、更に好ましくは第２スリットの長さが画素電極の同一辺縁の両端より中間に向けて漸減或いは漸増するものとされる。本発明の第２スリット間距分布に制限はないが、好ましくは少なくとも三つの第２スリット間の間距が異なるものとされ、更に好ましくは第２スリット間の間距が画素電極の同一辺縁の両端より中間に向けて漸減或いは漸増するものとされる。画素電極間の第２スリットの長さ或いは配列密度の改変により、電圧提供時に異なる電場が発生し、これにより液晶分子が異なる回転角度を発生する。ゆえに本発明の液晶ディスプレイ装置は異なる第２スリット付近の液晶分子が同一グレーレベルにあって異なる傾斜角を有し、これにより本発明の液晶分子の同一画素内の同一突起物に隣接区域における傾斜角度が異なるものとなるが、ただし第２スリットが規則性分布を呈するため、液晶分子の傾斜角度の規則性分布を呈する。周知の液晶ディスプレイ装置の透光度は液晶分子傾斜角度が形成する全体平均屈折率と関係し、本発明に記載の第２スリットの設置の後、突起物の隣接区域の全体平均液晶分子傾斜角が略同じとなり、ゆえに液晶分子傾斜角の形成する全体平均屈折率が略同じとなり、ゆえに突起物の隣接区域の透光度はほぼ同じとなり、ゆえに液晶ディスプレイ装置の輝度分布が改善され、液晶ディスプレイ装置の輝度均一化の機能が達成される。本発明の液晶ディスプレイ装置は広視角を達成するほか、同一グレーレベルで異なる視角で観た時にいずれも同じ輝度を得られる。
【実施例１】
【０００９】
図３及び図４は本発明のマルチドメイン垂直配向液晶ディスプレイ装置の側面図及び平面図である。このマルチドメイン垂直配向液晶ディスプレイ装置は第１基板１、第２基板２、及びネガ型液晶分子７を具えている。図３、４中には、第１電極１１、複数の突起物３、画素電極４、第１スリット５、及び第２スリット６が示されている。そのうち、第１電極１１は第１基板１の表面に位置し、第１基板１の表面に複数の突起物３がある。第２基板２の表面に位置する画素電極４は突起物３に平行な複数の第１スリット５を具え、該第１スリット５は画素電極４の区画に用いられる。第２スリット６は第１スリット５の辺縁に位置し、その延伸方向と突起物３の第２基板２における投影は垂直であり、並びに第２スリット６の長さ（Ｌ）は画素電極４の同一辺縁両端より中間に向けて漸増する。本実施例のネガ型液晶分子は第１基板１と第２基板２の間に位置する。電圧がこの液晶ディスプレイ装置に印加される時、その電場は第２スリット６の長さの影響を受け、同一グレーレベルのネガ型液晶分子７が異なる傾斜角を発生し、即ち液晶分子の同一画素内の同一突起物に隣接区域における傾斜角がいずれも異なるものとなる。ただし第２スリット６の分布は規則性分布とされるため、液晶分子７の傾斜角も規則性分布を呈する。周知の液晶ディスプレイ装置の透光度は液晶分子の傾斜角の形成する全体平均屈折率に関係するが、本発明の第２スリット６を設置の後、突起物の隣接区域の全体平均液晶分子傾斜角は略同じとなり、ゆえに液晶分子傾斜角の形成する全体平均屈折率は略同じとなり、ゆえに突起物の隣接区域の透光度がほぼ同じとなり、ゆえに液晶ディスプレイ装置の輝度分布が改善され、液晶ディスプレイ装置の輝度の均一化の機能が達成される。これにより、この液晶ディスプレイ装置はどの角度から観ても同様の輝度値を得られる（図５）。
【実施例２】
【００１０】
図６及び図７は本発明のマルチドメイン垂直配向液晶ディスプレイ装置の第２実施例の態様を示す。図７は図６のＡ−Ｂ線断面図である。そのうち、カラーフィルタ１２が第１基板１と第１電極１１の間に位置し、第１電極１１の表面に複数の突起物３がある。第２基板２上において、ゲート絶縁層２１と鈍化層２２が第２基板２と画素電極４の間に位置している。この画素電極４の表面に垂直配向層６３が有り、並びに突起物３に平行な複数の第１スリット５が設けられてそれは画素電極を区画するのに用いられる。第２スリット６は第１スリット５の辺縁に位置し、その延伸方向と突起物３の第２基板２における投影は垂直であり、並びに第２スリット６の長さ（Ｌ）は画素電極４の同一辺縁両端より中間に向けて漸減する。ネガ型液晶分子７が第１基板１と第２基板２の間に位置する。このほか、薄膜トランジスタ６０と画素電極４が接続されて該薄膜トランジスタ６０がこの液晶ディスプレイ装置のスイッチ素子とされ、並びにこの薄膜トランジスタ６０がそれぞれ走査線６１とゲート線６２に接続されている。これにより、薄膜トランジスタ６０が電圧をこの液晶ディスプレイ装置に印加する時、その電場は第２スリット６の長さの影響を受ける。第２スリット６の長さが短いほど、液晶分子の傾斜角が小さくなる。即ち液晶分子の傾斜角は画素電極の同一辺縁両端より中間に向けて漸減し（図７）、これにより均一な液晶傾斜夾角の平均値が得られる。第２スリット６の分布が規則性分布を成すため、液晶分子の傾斜角も規則性分布を呈する。周知の液晶ディスプレイ装置の透光度は液晶分子の傾斜角の形成する全体平均屈折率に関係するが、本発明の第２スリット６を設置の後、突起物の隣接区域の全体平均液晶分子傾斜角は略同じとなり、ゆえに液晶分子傾斜角の形成する全体平均屈折率は略同じとなり、ゆえに突起物の隣接区域の透光度がほぼ同じとなり、ゆえに液晶ディスプレイ装置の輝度分布が改善され、液晶ディスプレイ装置の輝度の均一化の機能が達成される。
【実施例３】
【００１１】
図８及び図９は本発明のマルチドメイン垂直配向液晶ディスプレイ装置の第３実施例の態様を示す。図９は図８のＡ−Ｂ線断面図である。そのうち、第２スリット６は異なる間距（Ｗ）を具え、間距（Ｗ）は画素電極４の同一辺縁両端より中間に向けて漸増する。その他の装置は図６の実施例と同じである。薄膜トランジスタ６０が電圧をこの液晶ディスプレイ装置に印加する時、その電場は第２スリット６の間距（Ｗ）が大きいほど、液晶分子の傾斜角が小さくなる。この設計の効果は前述の実施例と近似であり、第２スリット６の分布が規則性分布を成すため、液晶分子の傾斜角も規則性分布を呈する。周知の液晶ディスプレイ装置の透光度は液晶分子の傾斜角の形成する全体平均屈折率に関係するが、本発明の第２スリット６を設置の後、突起物の隣接区域の全体平均液晶分子傾斜角は略同じとなり、ゆえに液晶分子傾斜角の形成する全体平均屈折率は略同じとなり、ゆえに突起物の隣接区域の透光度がほぼ同じとなり、ゆえに液晶ディスプレイ装置の輝度分布が改善され、液晶ディスプレイ装置の輝度の均一化の機能が達成される。即ち液晶分子の傾斜角が画素電極の同一辺縁両端より中間に向けて漸減し（図９）、均一な液晶夾角の平均値が得られ、ゆえに液晶ディスプレイ装置の輝度分布を改善する。
【実施例４】
【００１２】
図１０及び図１１は本発明のマルチドメイン垂直配向液晶ディスプレイ装置の第４実施例の態様を示す。図１１は図１０のＡ−Ｂ線断面図である。そのうち、第２スリット６は異なる間距（Ｗ）を具え、間距（Ｗ）は画素電極４の同一辺縁両端より中間に向けて漸減する。その他の装置は図６の実施例と同じである。薄膜トランジスタ６０が電圧をこの液晶ディスプレイ装置に印加する時、その電場は第２スリット６の間距（Ｗ）が大きいほど、液晶分子の傾斜角が小さくなる。この設計の効果は前述の実施例と近似であり、第２スリット６の分布が規則性分布を成すため、液晶分子の傾斜角も規則性分布を呈する。周知の液晶ディスプレイ装置の透光度は液晶分子の傾斜角の形成する全体平均屈折率に関係するが、本発明の第２スリット６を設置の後、突起物の隣接区域の全体平均液晶分子傾斜角は略同じとなり、ゆえに液晶分子傾斜角の形成する全体平均屈折率は略同じとなり、ゆえに突起物の隣接区域の透光度がほぼ同じとなり、ゆえに液晶ディスプレイ装置の輝度分布が改善され、液晶ディスプレイ装置の輝度の均一化の機能が達成される。即ち液晶分子の傾斜角が画素電極の同一辺縁両端より中間に向けて漸増し（図１１）、均一な液晶夾角の平均値が得られ、ゆえに液晶ディスプレイ装置の輝度分布を改善する。
【００１３】
このほか、本発明の第２スリット６は整った曲げ角を得るため、リソグラフィーエッチングで形成される時、スリットを形成するマスクパターンは補償構造を有するものとされ、好ましくは図１２に示されるようなものとされ、スリットの曲げ角が突出する長方形の補償構造を具備するものとされる。
【図面の簡単な説明】
【００１４】
【図１】周知のマルチドメイン垂直配向液晶ディスプレイ装置の側面図である。
【図２】周知のマルチドメイン垂直配向液晶ディスプレイ装置の平面図である。
【図３】本発明の第１実施例の液晶ディスプレイ装置の側面図である。
【図４】本発明の第１実施例の液晶ディスプレイ装置の平面図である。
【図５】本発明の液晶ディスプレイ装置の異なる視角下での輝度とグレーレベルの関係図である。
【図６】本発明の第２実施例の液晶ディスプレイ装置の側面図である。
【図７】本発明の第２実施例の液晶ディスプレイ装置の平面図である。
【図８】本発明の第３実施例の液晶ディスプレイ装置の側面図である。
【図９】本発明の第３実施例の液晶ディスプレイ装置の平面図である。
【図１０】本発明の第４実施例の液晶ディスプレイ装置の側面図である。
【図１１】本発明の第４実施例の液晶ディスプレイ装置の平面図である。
【図１２】本発明のスリットを形成するマスクパターンの補償構造表示図である。
【符号の説明】
【００１５】
１  第１基板        ２  第２基板        ３  突起物
４  画素電極        ５  第１スリット    ６  第２スリット
７  液晶分子        １１  第１電極      １２  カラーフィルタ
２１  ゲート絶縁層  ２２  鈍化層        ６０  薄膜トランジスタ
６１  ゲート線    ６２  走査線      ６３  垂直配向層
【図１】
2006126775.tif 000003
【図２】
2006126775.tif 000004
【図３】
2006126775.tif 000005
【図４】
2006126775.tif 000006
【図５】
2006126775.tif 000007
【図６】
2006126775.tif 000008
【図７】
2006126775.tif 000009
【図８】
2006126775.tif 000010
【図９】
2006126775.tif 000011
【図１０】
2006126775.tif 000012
【図１１】
2006126775.tif 000013
【図１２】
2006126775.tif 000014